(57)【要約】本発明は、車椅子用フットサポート装置に関し、更に詳細には、車椅子の下段に形成されたフットサポートプレートが搭乗者の足によって加えられる荷重有無に応じて昇降する構造を有することによって、搭乗者が車椅子から立ち上がったり車椅子に座る場合に踏む過程で発生する落下による安全事故を未然に防止することができる車椅子用フットサポート装置及び安全装置に関する。【選択図】図７
2019510571.tif 000002
【特許請求の範囲】
【請求項１】
設定された荷重が加えられると下降し、前記荷重が取り除かれると上昇する昇降部と、
前記昇降部と一体に結合され、前記昇降部の動作によって昇降するフットサポートプレートと、
を含むことを特徴とする車椅子用フットサポート装置。
【請求項２】
前記昇降部は、電動式又は機械的に設定された荷重が加えられると下降し、前記荷重が取り除かれると上昇するように作動することを特徴とする請求項１に記載の車椅子用フットサポート装置。
【請求項３】
前記昇降部は、
中心軸と、
前記中心軸と回動可能に結合された昇降体と、
設定された荷重が加えられると下降し、前記荷重が取り除かれると上昇するように、一端が前記昇降体と相対移動可能に結合された締結ユニットと、
一端が前記締結ユニットと結合され、締結ユニットの昇降移動に応じて一体で移動し、他端が前記フットサポートプレートと一体に結合された昇降部材と、
を含むことを特徴とする請求項１に記載の車椅子用フットサポート装置。
【請求項４】
前記締結ユニットは、
前記昇降体と結合された締結ピンと、
一端が前記締結ピンと結合され、他端が前記昇降部材と結合される締結バーと、
一端が前記昇降体と結合され、他端が前記締結バーと結合された弾性部材と、
を含むことを特徴とする請求項３に記載の車椅子用フットサポート装置。
【請求項５】
前記締結ユニットは、
前記昇降体と結合された締結ピンと、
一端が前記締結ピンと結合され、他端が前記昇降部材と結合される締結バーと、
一端が前記昇降体と結合され、他端が前記昇降部材と結合された弾性部材と、
を含むことを特徴とする請求項３に記載の車椅子用フットサポート装置。
【請求項６】
前記弾性部材は、弾性係数Ｋの調節が可能な弾性体で構成され、設定された足の荷重によって弾性変形が発生する弾性係数を有するように設計されたことを特徴とする請求項４又は５に記載の車椅子用フットサポート装置。
【請求項７】
前記足の荷重は、フットサポートプレートに足を乗せたときに加えられる荷重である５〜１５ｋｇの範囲で設定されて弾性係数が決定されることを特徴とする請求項６に記載の車椅子用フットサポート装置。
【請求項８】
昇降部の固定モード又は昇降モードを決定する昇降制御部と、
前記昇降制御部が昇降モードである場合、荷重が加えられると下降し、前記荷重が取り除かれると上昇する昇降部と、前記昇降部と一体に結合され、前記昇降部の動作によって昇降するフットサポートプレートと、
を含む、車椅子用安全装置。
【請求項９】
前記昇降部は、電動式又は機械的に設定された荷重が加えられると下降し、前記荷重が取り除かれると上昇するように作動することを特徴とする請求項８に記載の車椅子用安全装置。
【請求項１０】
前記昇降部は、
中心軸と、
前記中心軸と回動可能に結合された昇降体と、
設定された荷重が加えられると下降し、前記荷重が取り除かれると上昇するように、一端が前記昇降体と相対移動可能に結合された締結ユニットと、
一端が前記締結ユニットと結合され、締結ユニットの昇降移動に応じて一体で移動し、他端が前記フットサポートプレートと一体に結合された昇降部材と、
を含むことを特徴とする請求項８に記載の車椅子用安全装置。
【請求項１１】
前記締結ユニットは、
前記昇降体と結合された締結ピンと、
一端が前記締結ピンと結合され、他端が前記昇降部材と結合される締結バーと、
一端が前記昇降体と結合され、他端が前記締結バーと結合された弾性部材と、
を含むことを特徴とする請求項１０に記載の車椅子用安全装置。
【請求項１２】
前記昇降制御部は、
車椅子ブレーキユニットで構成され、前記車椅子のブレーキがフットサポートプレートと連結部材を介して結合され、前記連結部材は、前記車椅子のブレーキの張力によって前記フットサポートプレートを押す又は引っ張ることができる構造で形成され、
車椅子のブレーキがかかった状態では、前記連結部材は、前記フットサポート装置の昇降部を引っ張る張力が発生し、前記フットサポート装置の昇降部を引っ張る張力によって上昇し、フットサポートプレートは昇降可能な状態である昇降モードとなり、
車椅子のブレーキが解除された状態では、前記ブレーキと連結された連結部材に押す張力が発生して、前記フットサポート装置の昇降部を押す張力が発生し、前記フットサポートプレートは押す張力によって最も低いところまで下降し、昇降不可能に動かない状態である固定モードとなるように制御することを特徴とする請求項８に記載の車椅子用安全装置。
【請求項１３】
前記車椅子ブレーキユニットは、
レバーと、前記レバーと多段ジョイント結合して移動するブレーキと、昇降部と結合するスイッチ部材と、を含み、
前記レバーが持ち上げられると、前記ブレーキバーが引っ張られるとともに車椅子のホイールを加圧してブレーキがロック状態となり、このとき、連結部材もまた引っ張られる張力が発生して、前記スイッチ部材が昇降部から分離して昇降モードとなり、
逆に、前記レバーが元の位置に下げられると、前記ブレーキが元の位置に復帰するとともにブレーキが解除状態となり、連結部材もまた引っ張られる張力から反対に押す張力に切り替わり、前記スイッチ部材が昇降部に結合されて固定モードとなるように制御することを特徴とする請求項１２に記載の車椅子用安全装置。
【請求項１４】
前記車椅子のブレーキと連結される安全バーをさらに含み、
前記安全バーと車椅子のブレーキとの間には、前記フットサポート装置の昇降部の間に連結された連結部材と延びて連結される第２連結部材によって連結され、
前記安全バーが締結されていない状態では、前記車椅子のブレーキのレバーが引っ張られた状態で、ブレーキがロック状態、フットサポートプレートが固定モードで動作し、
前記安全バーが締結された状態では、前記車椅子のブレーキのレバーが下げられた状態で、ブレーキが解除状態、フットサポートプレートが昇降モードで動作することを特徴とする請求項１２に記載の車椅子用安全装置。
【請求項１５】
前記第２連結部材は、
２つの連結部材から延びる２つの第２サブ連結部材と、
前記第２サブ連結部材が一つに結合されて延び、前記安全バーと連結される第２メイン連結部材と、を含んで構成され、
前記第２メイン連結部材は、安全バーの動作に応じて張力が変化するように安全バーと結合され、安全バーが締結されていない状態では、第２メイン連結部材を引っ張る張力が発生して、一体に連結された車椅子のブレーキのレバーが引っ張られた状態となり、フットサポート装置の昇降部もまた引っ張られた状態で、フットサポートプレートが昇降可能な状態である昇降モードとなり、
逆に、安全バーが締結された状態では、第２メイン連結部材は、反対に押す張力が発生して、一体に連結された車椅子のブレーキのレバーが下がることになり、フットサポート装置の昇降部は、反対に押す状態で張力が提供されて、フットサポートプレートが固定されて動かない状態である固定モードとなることを特徴とする請求項１４に記載の車椅子用安全装置。
【発明の詳細な説明】
【技術分野】
【０００１】
本発明は、車椅子用フットサポート装置に関し、更に詳細には、車椅子の下段に形成されたフットサポートプレートが搭乗者の足によって加えられる荷重有無に応じて昇降する構造を有することによって、搭乗者が車椅子から立ち上がったり車椅子に座る場合に踏む過程で発生する落下による安全事故を未然に防止することができる車椅子用フットサポート装置及び安全装置に関する。
【背景技術】
【０００２】
一般に、車椅子は、体の不自由な患者が搭乗して移動する手段であって、患者が直接車椅子を運転するか、保護者が後ろから車椅子を押して移動することになる。
【０００３】
車椅子は、体の不自由な患者が搭乗するだけに、車椅子に乗り降りする際、非常に危険で、特に、車椅子に座った状態で足を乗せるフットサポートプレートを車椅子に座ったり車椅子から降りたりするための補助手段として用いるため、上記フットサポート装置を踏む過程で、車椅子が転倒したり滑ることによって患者が床に倒れて発生する落下事故が頻繁に起きるという問題があった。
【０００４】
上述のとおり、フットサポート装置による落下事故は、患者の荷重が上記フットサポート装置にかかった瞬間に車椅子が動いたり転倒したりして、患者が重心を取ることができずに転倒するからであり、これは、上記フットサポート装置が加重を柔軟に吸収できない構造を有しているために発生する。
【発明の概要】
【発明が解決しようとする課題】
【０００５】
上記のような問題点を解決するために案出されたものであって、本発明の目的は、車椅子に搭乗者が搭乗する、または上記車椅子から降りるために、フットサポート装置を踏む場合、上記フットサポート装置に加えられる荷重によってフットサポート装置が昇降する構造を有することにより、搭乗者が車椅子から立ち上がったり車椅子に座る場合に踏む過程で発生する落下による安全事故を未然に防ぐことができる車椅子用フットサポート装置を提供することである。
【０００６】
本発明のもう一つの目的は、車椅子に搭乗者が搭乗するために、または上記車椅子から降りるために、安全ベルトを外す際にのみフットサポート装置を踏む場合、上記フットサポート装置に加えられる荷重によってフットサポート装置が昇降する構造を有し、安全ベルトを締めた状態またはブレーキがかかっていない状態では、上記フットサポート装置が昇降せずに固定される構造を有することにより、搭乗者が車椅子に登場した状態では、フットサポート装置が搭乗者の足を安全に支え、安全ベルトが解除されたりブレーキがかかった状態など、搭乗者が車椅子から立ち上がったり車椅子に座る場合にのみ昇降して、乗り降りの際にフットサポートプレートを踏む過程で発生する落下による安全事故を未然に防ぐことができる車椅子用安全装置を提供することである。
【課題を解決するための手段】
【０００７】
上記のような目的を達成するために、本発明に係る車椅子用フットサポート装置は、設定された荷重が加えられると下降し、前記荷重が取り除かれると上昇する昇降部と、前記昇降部と一体に結合され、前記昇降部の動作によって昇降するフットサポートプレートと、を含むことを特徴とする。
【０００８】
前記昇降部は、電動式又は機械的に設定された荷重が加えられると下降し、前記荷重が取り除かれると元の位置に上昇するように作動することを特徴とする。
【０００９】
そして、前記昇降部は、中心軸と、前記中心軸と回動可能に結合された昇降体と、設定された荷重が加えられると下降し、前記荷重が取り除かれると上昇するように、一端が前記昇降体と相対移動可能に結合された締結ユニットと、一端が前記締結ユニットと結合され、締結ユニットの昇降移動に応じて一体で移動し、他端が前記フットサポートプレートと一体に結合された昇降部材と、を含むことを特徴とする。
【００１０】
また、前記締結ユニットは、前記昇降体と結合された締結ピンと、一端が前記締結ピンと結合され、他端が前記昇降部材と結合される締結バーと、一端が前記昇降体と結合され、他端が前記締結バーと結合された弾性部材と、を含むことを特徴とする。
【００１１】
そして、前記締結ユニットは、前記昇降体と結合された締結ピンと、一端が前記締結ピンと結合され、他端が前記昇降部材と結合される締結バーと、一端が前記昇降体と結合され、他端が前記昇降部材と結合された弾性部材と、を含むことを特徴とする。
【００１２】
ここで、前記弾性部材は、弾性係数Ｋの調節が可能な弾性体で構成され、設定された足の荷重によって弾性変形が発生する弾性係数を有するように設計されることを特徴とする。
【００１３】
また、前記足の荷重は、フットサポートプレートに足を乗せたときに加えられる荷重である５〜１５ｋｇの範囲で設定されて弾性係数が決定されることを特徴とする。
【００１４】
一方、本発明に係る車椅子安全装置は、昇降部の固定モード又は昇降モードを決定する昇降制御部と、前記昇降制御部が昇降モードである場合、荷重が加えられると下降し、前記荷重が取り除かれると上昇する昇降部と、前記昇降部と一体に結合され、前記昇降部の動作によって昇降するフットサポートプレートと、を含むことを特徴とする。
【００１５】
前記昇降部は、電動式又は機械的に設定された荷重が加えられると下降し、前記荷重が取り除かれると上昇するように作動することを特徴とする。
【００１６】
そして、前記昇降部は、中心軸と、前記中心軸と回動可能に結合された昇降体と、設定された荷重が加えられると下降し、前記荷重が取り除かれると上昇するように、一端が前記昇降体と相対移動可能に結合された締結ユニットと、一端が前記締結ユニットと結合され、締結ユニットの昇降移動に応じて一体で移動し、他端が前記フットサポートプレートと一体に結合された昇降部材と、を含むことを特徴とする。
【００１７】
ここで、前記締結ユニットは、前記昇降体と結合された締結ピンと、一端が前記締結ピンと結合され、他端が前記昇降部材と結合される締結バーと、一端が前記昇降体と結合され、他端が前記締結バーと結合された弾性部材と、を含むことを特徴とする。
【００１８】
また、前記昇降制御部は、車椅子ブレーキユニットで構成され、前記車椅子のブレーキがフットサポートプレートと連結部材を介して結合され、前記連結部材は、前記車椅子のブレーキの張力によって前記フットサポートプレートを押す又は引っ張ることができる構造で形成され、車椅子のブレーキがかかった状態では、前記連結部材は、前記フットサポート装置の昇降部を引っ張る張力が発生し、前記フットサポート装置の昇降部を引っ張る張力によって上昇し、フットサポートプレートは昇降可能な状態である昇降モードとなり、車椅子のブレーキが解除された状態では、前記ブレーキと連結された連結部材に押す張力が発生して、前記フットサポート装置の昇降部を押す張力が発生し、前記フットサポートプレートは押す張力によって最も低いところまで下降し、昇降不可能に動かない状態である固定モードとなるように制御することを特徴とする。
【００１９】
前記車椅子ブレーキユニットは、レバーと、前記レバーと多段ジョイント結合されて移動するブレーキと、昇降部と結合するスイッチ部材と、を含み、前記レバーが持ち上げられると、前記ブレーキバーが引っ張られるとともに、車椅子のホイールを加圧してブレーキがロック状態となり、このとき、連結部材もまた引っ張られる張力が発生して、前記スイッチ部材が昇降部から分離して昇降モードとなり、逆に、前記レバーが元の位置に下げられると、前記ブレーキが元の位置に復帰してブレーキが解除状態となり、連結部材もまた引っ張られる張力から反対に押す張力に切り替わり、前記スイッチ部材が昇降部に結合されて固定モードとなるように制御することを特徴とする。
【００２０】
前記車椅子のブレーキと連結される安全バーをさらに含み、前記安全バーと車椅子のブレーキとの間には、前記フットサポート装置の昇降部の間に連結された連結部材と延びて連結される第２連結部材によって連結され、前記安全バーが締結されていない状態では、前記車椅子のブレーキのレバーが引っ張られた状態で、ブレーキがロック状態、フットサポートプレートが固定モードで動作し、前記安全バーが締結された状態では、前記車椅子のブレーキのレバーが下げられた状態で、ブレーキが解除状態、フットサポートプレートが昇降モードで動作することを特徴とする。
【００２１】
前記第２連結部材は、２つの連結部材から延びる２つの第２サブ連結部材と、前記第２サブ連結部材が一つに結合されて延び、前記安全バーと連結される第２メイン連結部材と、を含んで構成され、前記第２メイン連結部材は、安全バーの動作に応じて張力が変化するように安全バーと結合され、安全バーが締結されていない状態では、第２メイン連結部材を引っ張る張力が発生して、一体に連結された車椅子のブレーキのレバーが引っ張られた状態となり、フットサポート装置の昇降部もまた引っ張られた状態で、フットサポートプレートが昇降可能な状態である昇降モードとなり、逆に、安全バーが締結された状態では、第２メイン連結部材は、反対に押す張力が発生して、一体に連結された車椅子のブレーキのレバーが下がることになり、フットサポート装置の昇降部は、反対に押す状態に張力が提供されて、フットサポートプレートが固定されて動かない状態である固定モードとなることを特徴とする。
【発明の効果】
【００２２】
本発明に係る車椅子用フットサポート装置は、車椅子に乗り降りするために患者がフットサポートプレートに足を乗せたときに足の荷重を受容して、フットサポートプレートが下降移動することにより、車椅子が動いたり転倒することを防ぐとともに、安全に車椅子に乗り降りすることができるため、車椅子に乗り降りして発生する落下事故を未然に防ぐことができる卓越した効果が発生する。
【００２３】
また、本発明に係る車椅子用安全装置は、車椅子が移動する状態では、車椅子のブレーキが解除された状態、フットサポートプレートが上下に動かない固定モードを維持し、車椅子に乗り降りするために停止した状態では、車椅子のブレーキがロック状態、フットサポートプレートが昇降可能な昇降モードに切り替わり、患者が車椅子に乗り降りするためにフットサポートプレートに足を乗せたときに、車椅子が動くことを防止するとともに、足の荷重を受容して、フットサポートプレートが下降移動することにより、車椅子が動いたり転倒することを防ぐとともに、安全に車椅子に乗り降りすることができるため、車椅子に乗り降りして発生する落下事故を未然に防ぐことができる卓越した効果が発生する。
【図面の簡単な説明】
【００２４】
【図１】本発明の好ましい実施例に係るフットサポート装置が結合された車椅子を概略的に示す装置構成図である。
【図２】本発明の好ましい実施例に係るフットサポート装置を概略的に示す断面図である。
【図３】図２のフットサポート装置に係るフットサポートプレートの下降及び上昇の動作を概略的に示しており、図２の締結ユニットの詳細な構成及び動作図である。
【図４】本発明のまた別の実施例に係るフットサポート装置の下降及び上昇の動作を概略的に示している。
【図５】図４の締結ユニットの詳細な構成及び動作図である。
【図６】本発明のまた別の実施例に係るフットサポート装置を概略的に示しており、フットサポート装置の下降及び上昇の動作を概略的に示している。
【図７】車椅子のブレーキによりモードが決定される方式を概略的に示す概念図である。
【図８】車椅子のブレーキによりモードが決定される方式を概略的に示す概念図である。
【図９】本発明の好ましい実施例に係る車椅子ブレーキユニットのスイッチ部材と昇降部のスイッチ結合部の結合動作によって、フットサポートプレートが昇降モード又は固定モードに切り替わる過程を概略的に示している。
【図１０】本発明に係る安全バーが設けられた車椅子を概略的に示している。
【図１１】本発明に係る安全バーが設けられた車椅子を概略的に示している。
【図１２】車椅子の安全バーによりモードが決定される方式を概略的に示す概念図である。
【図１３】車椅子の安全バーによりモードが決定される方式を概略的に示す概念図である。
【図１４】車椅子の安全バーによりモードが決定される方式を概略的に示す概念図である。
【発明を実施するための形態】
【００２５】
本発明に係る車椅子用フットサポート装置は、設定された荷重が加えられると下降し、前記荷重が取り除かれると上昇する昇降部と、前記昇降部と一体に結合され、前記昇降部の動作によって昇降するフットサポートプレートと、を含むことを特徴とする。
【００２６】
本発明に係る車椅子安全装置は、昇降部の固定モード又は昇降モードを決定する昇降制御部と、前記昇降制御部が昇降モードである場合、荷重が加えられると下降し、前記荷重が取り除かれると上昇する昇降部と、前記昇降部と一体に結合され、前記昇降部の動作によって昇降するフットサポートと、を含むことを特徴とする。
【００２７】
以下、本発明の具体的な実施例について、図面を参照して詳細に説明することとする。
【００２８】
図１は、本発明の好ましい実施例に係るフットサポート装置が結合された車椅子を概略的に示す装置構成図であり、図２は、本発明の好ましい実施例に係るフットサポート装置を概略的に示す断面図である。
【００２９】
図１及び図２を参照すると、本発明に係る車椅子用フットサポート装置は、設定された荷重が加えられると下降し、前記荷重が取り除かれると上昇する昇降部１０と、前記昇降部と一体に結合され、前記昇降部の動作によって昇降するフットサポートプレート２０と、を含んで構成され得る。
【００３０】
前記昇降部１０は、患者が車椅子に乗り降りするためにフットサポートプレートに足を置いた瞬間、足の荷重によって下降し、前記フットサポートプレートの足を離すと、再び元の位置に上昇する構造を有する。
【００３１】
従って、患者がフットサポートプレートに足を置く際に、車椅子が動いたり転倒して発生し得る落下安全事故を未然に防ぐことができる構造を有する。
【００３２】
前記昇降部は、電動式又は機械式に設定された荷重が加えられると下降し、前記荷重が取り除かれると上昇するように作動するよう構成され得る。
【００３３】
電動式の場合、荷重を感知する圧力センサと、前記圧力センサにより感知された荷重が設定された足の荷重に達すると、フットサポートプレートを下降させ、前記圧力センサにより感知された荷重が取り除かれると、前記フットサポートプレートを元の位置に上昇させるモーターと、ギアアセンブリと、を含んで構成され得る。
【００３４】
図３は、図２のフットサポート装置に係るフットサポートプレートの下降及び上昇の動作を概略的に示しており、図２の締結ユニットの詳細な構成及び動作図である。
【００３５】
図３を参照すると、前記昇降部は、中心軸１１０と、前記中心軸と回動可能に結合された昇降体１２０と、設定された荷重が加えられると下降し、前記荷重が取り除かれると上昇するように、一端が前記昇降体と相対移動可能に結合された締結ユニット１３０と、一端が前記締結ユニット１３０と結合され、締結ユニットの昇降移動によって一体に移動し、他端が前記フットサポートプレート２０と一体に結合された昇降部材１４０と、を含んで構成され得る。
【００３６】
前記昇降体１２０は、前記中心軸１１０と回動可能に結合される軸部材と、弧状のガイド部材と、を含んで構成され、前記昇降部材が、前記軸部材に形成された溝に挿入され、前記ガイド部材の外側に沿って昇降移動する構造で形成され得る。
【００３７】
ここで、前記昇降部材１４０は、前記昇降体１２０と相対移動して下部に移動し元の位置に復帰できるように、一端が前記昇降体内部に移動可能に挿入され、前記締結ユニット１３０と結合される。
【００３８】
また、前記締結ユニット１３０は、前記昇降体１２０と昇降部材１４０との間に弾性部材を介して弾性結合されるように構成され、前記弾性部材は、回動するとともに上下移動が可能なヒンジバネで構成され得る。
【００３９】
図４は、本発明のまた別の実施例に係るフットサポート装置の下降及び上昇の動作を概略的に示しており、図５は、図４の締結ユニットの詳細な構成及び動作図である。
【００４０】
図４及び図５を参照すると、前記締結ユニット１３０は、前記昇降体１２０と結合された締結ピン１３１と、一端が前記締結ピンと結合され、他端が前記昇降部材と結合される締結バー１３２と、一端が前記昇降体と結合され、他端が前記締結バーと結合された弾性部材１３３と、を含んで構成され得る。
【００４１】
前記締結ピン１３１は、昇降体１２０と直結し得るが、図４に示すように、別途の締結片１３５を介して昇降体１２０に結合され得る。
【００４２】
前記締結ユニット１３０は、患者がフットサポートプレートに足を乗せたときに荷重に反応して下降移動し、前記締結ユニット１３０の下降移動によってこれと結合された昇降部材１４０が下降移動するとともに、フットサポートプレート２０が下降移動する。従って、患者が車椅子で倒れたり車椅子から落下することなく安全に車椅子に乗り降りことができる。
【００４３】
逆に、上記患者がフットサポートプレート２０から足を離すと、前記締結ユニット１３０が元の位置に上昇移動し、それによって昇降部材１４０とフットサポートプレート２０が元の位置に上昇移動する。
【００４４】
ここで、前記弾性部材１３３は、弾性係数Ｋの調節が可能な弾性体で構成され、設定された足の荷重によって弾性変形が発生する弾性係数を有するように設計することができる。
【００４５】
前記弾性体は、弾性力と復元力とを有するバネで構成され得る。
【００４６】
本発明は、患者がフットサポートプレートに足を乗せたときにフットサポートプレートが下降移動するように構成されるため、患者の足が乗せられたときに作用する荷重をもとに下降移動するように構成されるべきである。
【００４７】
一般に、車椅子に乗り降りするために患者がフットサポートプレートに足を乗せたときに作用する荷重は、患者の体重や年齢に応じて異なるが、略５〜１５Ｋｇの範囲に分布する。
【００４８】
従って、上記荷重の範囲で足の荷重が設定され、設定された足の荷重に初期の弾性力による変形が作用する弾性係数Ｋを有するように、上記弾性体を設計することができる。
【００４９】
図６は、本発明のまた別の実施例に係るフットサポート装置を概略的に示しており、フットサポート装置の下降及び上昇の動作を概略的に示している。
【００５０】
図６を参照すると、本発明に係るフットサポート装置は、締結ユニットの構造のうち、弾性部材の位置が、昇降体と締結バーとの間ではなく、昇降体と昇降部材との間に位置し得る。
【００５１】
より具体的には、前記弾性部材１３４は、昇降部材１４０の上部と昇降体１２０との間に結合されて、締結バー１３２と締結ピン１３１とが形成された位置とは異なる位置に形成され得る。
【００５２】
その他にも、前記弾性部材は、昇降部材が足の荷重によって下降し、荷重が取り除かれると元の位置に上昇することができるように弾性力と復元力とを提供することができ、任意の位置に形成され得ることは自明である。
【００５３】
以下、本発明の好ましい実施例に係る車椅子用フットサポート装置の作動方法について見てみる。
【００５４】
まず、患者が車椅子に乗り降りする場合、フットサポートプレートに足を乗せることになり、足に荷重を加えることになる。
【００５５】
一般に、車椅子に搭乗する患者は、車椅子に手をついた状態で足を上げ、従来の車椅子におけるフットサポートプレートは、車椅子と一体に形成されるため、フットサポートプレートに荷重を加えると、車輪が回ったり車椅子が動くことになり、ひどい場合は車椅子が転倒し得る危険性がある。
【００５６】
しかし、本発明に係るフットサポート装置は、患者がフットサポートプレートに足を乗せ、足に荷重を加えると、車椅子とは別にフットサポートプレートのみ下部に移動し、そのため、車椅子が動いたり転倒する問題が発生せず、フットサポートプレートが床に接するまで移動するので、安定して車椅子に乗り降りすることができる。
【００５７】
本発明に係るフットサポートプレートは、設定された足の荷重に反応するように設計されるため、単に足を乗せた場合は下部に移動しないが、荷重が加えられて設定された足の荷重に達すると、弾性部材に初期の弾性変形が生じて下部に移動する。
【００５８】
次に、患者が車椅子から完全に降りるか車椅子に搭乗して、フットサポートプレートから足を離すか、又は足に加えた荷重を取り除く場合、前記弾性部材は、弾性力が取り除かれ、復元力によって元の位置に復帰し、そのため、フットサポートプレートも元の位置に上昇移動する。
【００５９】
一方、前記昇降制御部１０は、車椅子のブレーキによりモードが決定される方式と、安全バーと連動した車椅子のブレーキによりモードが決定される２種類の方式の実施例に区分することができる。
【００６０】
まず、車椅子のブレーキによりモードが決定される方式について見ると、図７は、車椅子のブレーキによりモードが決定される方式を概略的に示す概念図である。
【００６１】
図７及び図８を参照すると、前記昇降制御部１０は、車椅子のブレーキユニット１１０で構成され、車椅子のブレーキユニットの連結部材の先端に形成されたスイッチ部材１１４がフットサポートプレートの昇降部と結合され、前記車椅子のブレーキの制御により前記スイッチ部材が前後に移動して、昇降部２０の動作を昇降モードまたは固定モードに切り替えるように構成され得る。
【００６２】
より具体的には、前記車椅子ブレーキユニット１１０は、ブレーキのロックまたは解除を決定するレバー１１１と、前記レバーと結合され、前記レバーの動作によりホイールをロックまたは移動可能な状態に切り替えるブレーキ１１２と、前記ブレーキと結合され、前記ブレーキの動作により押すまたは引っ張る張力を発生させる連結部材１１３と、前記連結部材の先端に形成され、前記連結部材の張力の変化により前記昇降部の昇降部材に形成されたスイッチ結合部２４１に結合されて、昇降部を固定モードに制御し、前記スイッチ結合部２４１から分離して、昇降部を昇降モードに切り替えるように制御するスイッチ部材１１４を含んで構成され得る。
【００６３】
ここで、前記ブレーキユニット１１０は、レバー１１１とブレーキ１１２とが多段ジョイントで結合されて相対移動する軌跡を有するように形成され得る。
【００６４】
より具体的には、前記レバー１１１が持ち上げられると、前記ブレーキ１１２が引っ張られ、車椅子のホイールを加圧してブレーキ１１２がロック状態となり、このとき、連結部材１１３も引っ張る張力が発生する。
【００６５】
逆に、前記レバー１１１が元の位置に降りると、前記ブレーキ１１２が元の位置に復帰して、ブレーキ１１２がオフ状態となり、連結部材１１３もまた引っ張る張力から反対に押す張力に切り替わる。
【００６６】
ここで、前記連結部材１１３は、初期設定の際にブレーキが解除状態にあると、連結部材に押す張力が発生するようにセッティングされ、ブレーキがロック状態から解除状態に切り替わると、初期の張力により元の位置に復帰するように設計され得る。
【００６７】
図９は、本発明の好ましい実施例に係る車椅子ブレーキユニットのスイッチ部材と昇降部のスイッチ結合部の結合動作により、フットサポートプレートが昇降モード又は固定モードに切り替わる過程を概略的に示している。
【００６８】
図９を参照すると、前記車椅子ブレーキユニットのスイッチ部材１１４は、連結部材１１３の押す張力により前記昇降部材のスイッチ結合部２４１に挿入され、逆に、連結部材１１３の引っ張る張力により前記スイッチ結合部２４１から分離するように動作する。
【００６９】
前記スイッチ部材１１４は、外部フレームの内側に弾性ガイド１１４ａが形成され、前記弾性ガイドによりスイッチバー１１４ｂが張力によって前後移動可能な構造で形成され、前記スイッチ部材の外部フレームは、昇降部材に固定結合された状態で張力の変化によって前記スイッチバーのみ挿入または分離される構造で形成され得る。
【００７０】
ここで、前記スイッチ部材のスイッチバーが、スイッチ結合部に挿入された状態では、前記昇降部がロック状態となって、フットサポートプレートが固定モードとなり、逆に、前記スイッチ部材がスイッチ結合部から分離された状態では、前記昇降部が解除状態となって、フットサポートプレートが昇降モードに切り替わる。
【００７１】
前記スイッチ結合部は、前記スイッチ部材が挿入される挿入溝と、挿入溝内に前記スイッチ部材が挿入されたとき、スイッチ部材がスイッチ部材を固定する弾性ストッパーと、を含んで構成され得る。
【００７２】
従って、スイッチ部材が挿入されると、前記弾性ストッパの弾性力により前記スイッチ部材がスイッチ結合部に挿入された状態を維持することになり、スイッチ部材が引っ張る力によりスイッチ結合部から分離される場合、容易に分離され得る。
【００７３】
下記の表１は、ブレーキの動作に応じてフットサポートプレートのモードが切り替わる関係を示すものである。
【００７４】
【表１】
2019510571.tif 000003
【００７５】
前記表１を参照すると、図７のように車椅子のブレーキがかかった状態（ロック状態）では、上記連結部材は引っ張る張力が発生し、そのため、スイッチ部材は昇降部のスイッチ結合部から分離され、フットサポートプレートの昇降部は足の荷重により昇降可能となるため、フットサポートプレートは昇降モードとなる。
【００７６】
逆に、図８のように車椅子のブレーキが解除された状態では、上記ブレーキと連結された連結部材に反対に押す張力が発生して、スイッチ部材が昇降部のスイッチ結合部に挿入されて固定され、フットサポートプレートの昇降部は上記スイッチ部材によりロック状態となり、昇降が不可能なため、フットサポートプレートは固定モードとなる。
【００７７】
結果、ブレーキがかかった状態（ロック状態）は、車椅子が動かないか又は移動しない状態で安全が保障された状態において、搭乗者が車椅子に乗り降りすることが可能であり、この過程でフットサポートプレートを踏むと、フットサポートプレートが足の荷重により昇降するため、車椅子が動かない状態で安全に車椅子に乗り降りすることが可能であり、従って、安全を二重に確保することができる。
【００７８】
これとは逆に、ブレーキが解除された状態は、車椅子が移動可能な状態であり、搭乗者が車椅子に搭乗して移動する状態であるため、フットサポートプレートが動かないように固定して、移動中に安定して足をフットサポートプレートに置いて移動することができる。
【００７９】
次に、安全バーと連動した車椅子のブレーキによりモードが決定される方式について見ると、図１０及び図１１は、 本発明に係る安全バーが設けられた車椅子を概略的に示しており、図１２及び図１４は、 車椅子のブレーキによりモードが決定される方式を概略的に示す概念図である。
【００８０】
図１０〜図１４を参照すると、安全バーと連動した車椅子のブレーキによりモードが決定される方式は、図７及び図８の実施例と比較すると、図７及び図８の実施例は、車椅子のブレーキのレバーを手動で引っ張る又は下げる構造であるのに対し、図１０及び図１１の実施例は、安全バーが締結されると、ブレーキのレバーを自動的に引っ張り、安全バーが解除されると、ブレーキのレバーが自動的に元の位置に下がる構造である点を除くと、動作方法は類似する。
【００８１】
より具体的には、安全バーユニット１３０と車椅子のブレーキとの間には、前記フットサポート装置の昇降部の間に連結された連結部材と反対に延びて連結される第２連結部材１２０により連結される。
【００８２】
ここで、前記第２連結部材１２０は、２つの連結部材から延びる２つの第２サブ連結部材１２１ａ、１２１ｂと、前記第２サブ連結部材が一つに結合されて延び、前記安全バーユニットと連結される第２メイン連結部材１２２と、を含んで構成され得る。
【００８３】
ここで、前記第２連結部材１２０及び連結部材１１３は、同一の張力が発生するように一体に連結され、前記安全バーユニット１３０と連結された第２連結部材１２０は、安全バー１３２が締結されていない状態で基本的に引っ張る張力が発生するように張力が調整された状態で設けられてもよく、従って、安全バーユニット１３０の安全バー１３２が締結される場合、反対に押す張力に切り替わるように設けられてもよい。
【００８４】
より具体的には、前記安全バーユニット１３０は、図１３のように第２メイン連結部材１２２と連結され、安全バーを着脱するために回動により張力を変化させる張力調節部材１３１と、一体に連結された安全バー１３２と、を含んで構成され得る。
【００８５】
前記安全バー１３２は、締結及び解除するために回動方向又は反対方向に回動する構造を有し、前記回動が前記張力調節部材１３１に伝達され、前記張力調節部材１３１に連結された第２メイン連結部材１２２に張力の変化が伝わり、引く張力から押す張力に相互張力が変化し得る。
【００８６】
基本的に、前記張力調節部材１３１は、図１３のように安全バーが締結された状態では、押す方向に張力が発生し、安全バーが解除される場合、張力調節部材１３１が回動しながら復元力により前記張力が引っ張る方向に変化する。逆に、安全バーが解除された状態で安全バーが締結されると、前記張力が引っ張る方向から押す方向に切り替わる。
【００８７】
下記の表２は、安全バーの動作に応じてフットサポートプレートのモードが切り替わる関係を示すものである。
【００８８】
【表２】
2019510571.tif 000004
【００８９】
前記安全バーと直結された第２メイン連結部材は、安全バーの動作に応じて張力が変化するように安全バーと結合され、最初の設置時に初期の張力が引っ張る張力が発生するようにセッティングすることができる。
【００９０】
表２を参照すると、図１２のように安全バー１３２が締結されていない状態では、基本セッティングにより第２メイン連結部材１２２を引っ張る張力が発生して、一体に連結された車椅子のブレーキのレバー１１１が引っ張られた状態となり、フットサポート装置の昇降部２４０もまた引っ張られた状態で、フットサポートプレート３０が昇降可能な状態となる。
【００９１】
逆に、図１３のように安全バー１３２が締結された状態では、第２メイン連結部材１２２は、反対に押す張力が発生して、一体に連結された車椅子のブレーキのレバー１１１が下がり、フットサポート装置の昇降部２４０は、反対に押す状態に張力が提供され、フットサポートプレート３０が固定されて動かない状態となる。
【００９２】
結果、安全バー１３２が締結されて車椅子が移動可能な状態では、ブレーキが解除され、フットサポートプレートも動かないように固定されて、搭乗者が足を安定して乗せて移動することができ、逆に、安全バー１３２が解除されて車椅子に乗り降り可能な状態に切り替わると、ブレーキがロック状態に切り替わり、フットサポートプレートも昇降可能なモードに切り替わって、 車椅子が動かない又は移動しないことを保障するとともに、フットサポートプレートが昇降して搭乗者の荷重を受容することができるため、搭乗者が安全に車椅子に乗り降りすることを保障することができる。
【００９３】
以上で説明した本発明の詳細な説明では、本発明の好ましい実施例を参照して説明したが、本発明の保護範囲は、上記実施例に限定されるものではなく、当該技術分野の通常の知識を有する者であれば、本発明の思想及び技術領域から逸脱しない範囲内で本発明を多様に修正及び変更できることが理解できるであろう。
【産業上の利用可能性】
【００９４】
車椅子の下段に形成されたフットサポートプレートが搭乗者の足により加えられる荷重有無に応じて昇降する構造を有することにより、搭乗者が車椅子から立ち上がったり車椅子に座る場合に踏む過程で発生する落下による安全事故を未然に防止することができるため、車椅子産業に非常に有用な発明である。
【図１】
2019510571.tif 000005
【図２】
2019510571.tif 000006
【図３】
2019510571.tif 000007
【図４】
2019510571.tif 000008
【図５】
2019510571.tif 000009
【図６】
2019510571.tif 000010
【図７】
2019510571.tif 000011
【図８】
2019510571.tif 000012
【図９】
2019510571.tif 000013
【図１０】
2019510571.tif 000014
【図１１】
2019510571.tif 000015
【図１２】
2019510571.tif 000016
【図１３】
2019510571.tif 000017
【図１４】
2019510571.tif 000018
【国際調査報告】
2019510571.tif 000019
2019510571.tif 000020
2019510571.tif 000021
2019510571.tif 000022